(57)【要約】【課題】薄型化に適し、かつ低音での良好な出力特性が得られるスピーカ装置を得る。【解決手段】このスピーカ装置１０においては、スピーカユニット１１の前面側においても、円筒形状の前面ダクト１４が設置される。前面ダクト１４は、図１（ｂ）に示されるように、その中心軸をスピーカユニット１１の中心と一致させて設置される。また、キャビネット１２においても、前面ダクト１４を固定するために、前面ダクト１４よりも大きな内径の円筒形状の前面ダクト支持部１２２が開口１２１を囲んで形成されている。前面ダクト１４と前面ダクト支持部１２２との間には環状の緩衝材１５が設けられている。【選択図】図１
2010041318.tif 000002
【特許請求の範囲】
【請求項１】
スピーカユニットの前面側がキャビネットに設置され、前記スピーカユニットの背面側が開放された構造を具備する後面開放型のスピーカ装置であって、
前記スピーカユニットの前面側に設けられた円筒形状の前面ダクトと、
前記キャビネットにおける前記スピーカユニット側に設けられた円筒形状の前面ダクト支持部と、を具備し、
前記前面ダクトと前記前面ダクト支持部とが嵌合されて構成されることを特徴とするスピーカ装置。
【請求項２】
前記前面ダクトと前記前面ダクト支持部とは緩衝材を介して嵌合されることを特徴とする請求項１に記載のスピーカ装置。
【請求項３】
前記スピーカユニットの背面側に、円筒形状の背面ダクトを具備することを特徴とする請求項１又は２に記載のスピーカ装置。
【請求項４】
請求項１から請求項３までのいずれか１項に記載のスピーカ装置を具備することを特徴とするオーディオ機器。
【発明の詳細な説明】
【技術分野】
【０００１】
本発明は、低音で良好な音声出力特性が得られるスピーカ装置、及びこれが用いられるオーディオ機器に関する。
【背景技術】
【０００２】
各種のオーディオ機器においては、低音から高音に至るまでの広い範囲で良好な音声出力特性が要求され、特に低音域での出力特性を向上させることが重要となっている。このため、スピーカユニットをキャビネットにおいて適切に配置させたスピーカ装置が用いられ、スピーカユニット周辺の構造を工夫してこの特性を向上させる技術が知られている。
【０００３】
スピーカ装置においては、主たる音声出力はスピーカユニット前面から発せられるが、同時にその背面からも発せられる。この際、スピーカユニット背面からの音圧がスピーカユニット前面に回り込むと、前面の音声出力を打ち消す方向に働くため、その出力に悪影響を与える。従って、低音での出力特性を向上させるには、スピーカユニット背面からの音圧を前面に回り込ませないことが重要となる。図２は、この対策を行った一例であるスピーカ装置５０におけるスピーカユニット５１の中心軸上での断面図である。このスピーカ装置５０においては、スピーカユニット５１がエンクロージャ５２の一面に設置された構造がテレビジョン受像機のキャビネット５３に設置される。この構造においては、スピーカユニット５１の前面（図中下側の面）から発せられた音声出力は、キャビネット５３中の開口５３１から、図中黒矢印に示されるように下側に発せられる。一方、スピーカユニット５１の動作を良好にするためには、スピーカユニット５１の背面で発した音圧をエンクロージャ５２から逃がすことが必要であるため、エンクロージャ５２における図中左側は開放されている。従って、スピーカユニット５１の背面で発した音圧は図中白矢印のように前面まで伝わる。この場合、エンクロージャ５２がない場合と比べてスピーカユニット５１の前面までの到達するまでの距離は長くなるため、その影響を低減することができる。
【０００４】
また、上記のようなエンクロージャを使用しない後面開放型のスピーカ装置が用いられる場合も多くなっている。このスピーカ装置は、エンクロージャがないために、スピーカ装置の小型化、薄型化には適している。図３に、この一例であるスピーカ装置６０におけるスピーカユニット６１の中心軸上の断面図（ａ）と、その背面側のＣ−Ｃ方向の断面図（ｂ）を図３に示す。この構造のスピーカ装置６０においては、スピーカユニット６１の背面は開放された状態でキャビネット６２に設置され、その背面には、スピーカユニット６１の中心をその中心軸とする円筒形状の背面ダクト６３が設けられている。この場合にも、スピーカユニット６１の前面（図中下側の面）から発せられた音声出力は、キャビネット６２中の開口６２１から、図中黒矢印に示されるように下側に発せられる。その背面で発した音圧は図中白矢印のように、背面ダクト６３を回り込んで伝わるため、背面ダクト６３がない場合と比べて前面に到達するまでの距離が長くなる。ただし、この距離は背面ダクト６３がない場合と比べて長くなるものの、図２の構造と比べると短くなることは明らかであるため、音圧の回り込みを抑制する効果は図２の構造と比べると小さくなる。
【０００５】
また、これらの構造においては、スピーカユニットの背面側のエンクロージャや背面ダクトに定在波が発生し、これがスピーカユニットの前面に悪影響を与えることもある。この影響を低減するための構造が特許文献１に記載されている。この構造においては、エンクロージャ内に複数の仕切板を設けて音波減衰路を形成し、かつ吸音材を設けることによって、定在波を減衰させる。この構造においては、定在波だけでなく、背面の音圧が前面に与える影響を減少させることもでき、これにより、特に低音での出力特性を向上させることができる。
【特許文献１】特開２００４−２２９１４５号公報
【発明の開示】
【発明が解決しようとする課題】
【０００６】
しかしながら、例えば液晶テレビジョン等においては、近年、薄型化が進んでおり、ディスプレイの薄型化に伴って液晶テレビジョンの音声出力用に用いられるスピーカ装置にも同様の薄型化が要求されている。
【０００７】
この場合、図２に示す構成のスピーカ装置や、特許文献１に記載のスピーカ装置は、スピーカユニットの背面側に大きなエンクロージャを設けることが必要であるため、適していない。一方、図３に示す後面開放型のスピーカ装置はエンクロージャを用いないため、これらと比べて薄型化には適している。しかしながら、前記の通り、スピーカユニット背面の音圧がスピーカユニット前面に到達するまでの距離を図２に示す構成のスピーカ装置のように長くすることが困難である。あるいは、背面ダクトを長くすればこの距離を大きくすることができるが、その場合には薄型化は困難である。また、図３に示すような後面開放型のスピーカ装置においては、特許文献１に記載の技術のように音圧を減衰させることも困難である。従って、図３に示す後面開放型のスピーカ装置においては、低音での出力特性を良好にすることは困難であった。
【０００８】
従って、薄型化に適し、かつ低音での良好な出力特性が得られるスピーカ装置を得ることは困難であった。
【０００９】
本発明は、斯かる問題点に鑑みてなされたものであり、上記問題点を解決する発明を提供することを目的とする。
【課題を解決するための手段】
【００１０】
本発明は、上記課題を解決すべく、以下に掲げる構成とした。
本発明のスピーカ装置は、スピーカユニットの前面側がキャビネットに設置され、前記スピーカユニットの背面側が開放された構造を具備する後面開放型のスピーカ装置であって、前記スピーカユニットの前面側に設けられた円筒形状の前面ダクトと、前記キャビネットにおける前記スピーカユユニット側に設けられた円筒形状の前面ダクト支持部とを具備し、前記前面ダクトと前記前面ダクト支持部とが嵌合されて構成されることを特徴とする。
本発明のスピーカ装置において、前記前面ダクトと前記前面ダクト支持部とは緩衝材を介して嵌合されることを特徴とする。
本発明のスピーカ装置は、前記スピーカユニットの背面側に、円筒形状の背面ダクトを具備することを特徴とする。
本発明のオーディオ機器は、前記スピーカ装置を具備することを特徴とする。
【発明の効果】
【００１１】
本発明は以上のように構成されているので、薄型化に適し、かつ低音での良好な出力特性が得られるスピーカ装置を得ることができる。
【発明を実施するための最良の形態】
【００１２】
以下、本発明を実施するための最良の形態となるスピーカ装置について説明する。このスピーカ装置１０は、液晶テレビジョン受像機に設置される後面開放型のスピーカ装置となっている。図１に、本発明の実施の形態となるスピーカ装置１０におけるスピーカユニット１１の中心軸上の断面図（ａ）、その前面側のＡ−Ａ方向の断面図（ｂ）、その背面側のＢ−Ｂ方向の断面図（ｃ）を示す。このスピーカ装置１０においては、スピーカユニット１１がキャビネット１２中に設置され、キャビネット１２中の開口１２１において、スピーカユニット１１の前面から図１（ａ）中に黒矢印の方向に音声出力がなされる。なお、キャビネット１２は液晶テレビジョン受像機の筐体ともなっている。
【００１３】
スピーカユニット１１の背面（図１（ａ）中の上側の面）には、背面ダクト１３が設けられている。背面ダクト１３は、図１（ｃ）に示されるように、スピーカユニット１１の背面の周囲を取り囲み、その中心軸をスピーカユニット１１の中心と一致させた円筒形状となっている。背面ダクト１３の構成、機能は図３に記載のスピーカ装置の場合と同様である。すなわち、スピーカユニット１１の背面で発生した音圧が前面に到達するまでの距離を長くする。しかしながら、前記の通り、特にこのスピーカ装置１０を薄型化した場合に、この背面ダクト１３だけではこの距離を充分に長くすることは困難である。
【００１４】
このため、このスピーカ装置１０においては、スピーカユニット１１の前面側においても、円筒形状の前面ダクト１４が設置される。前面ダクト１４は、図１（ｂ）に示されるように、その中心軸をスピーカユニット１１の中心と一致させて設置される。また、キャビネット１２においても、前面ダクト１４を固定するために、前面ダクト１４よりも大きな内径の円筒形状の前面ダクト支持部１２２が開口１２１を囲んで形成されている。前面ダクト１４と前面ダクト支持部１２２との間には環状の緩衝材１５が設けられている。すなわち、図１（ｂ）に示されるように、前面ダクト支持部１２２の内側には、緩衝材１５を挟んで前面ダクト１４が嵌合される。これによって、スピーカユニット１１がこのキャビネット１２中に固定される。
【００１５】
背面ダクト１３、前面ダクト１４は、スピーカユニット１１を機械的に固定でき、不要の振動を発生しにくい材料として、例えばゴムで構成することができる。また、緩衝材１５としては、音声（音圧）を吸収できる材料として、例えばガラスウールを用いることができる。
【００１６】
この構成においては、スピーカユニット１１の背面で発生した音圧の前面への回り込みは、前面ダクト１４及び前面ダクト支持部１２２によって抑制される。また、前面ダクト１４と前面ダクト支持部１２２との間には緩衝材１５が設置されているため、前面ダクト１４と前面ダクト支持部１２２との隙間をこの音声が伝達することもない。従って、スピーカユニット１１の背面で発生した音圧が、スピーカユニット１１が前面で発生する音声出力に悪影響を与えることが抑制される。
【００１７】
また、前面ダクト１４と前面ダクト支持部１２２との間の緩衝材１５は、スピーカユニット１１が発生する振動がキャビネット１２に伝達することも抑制する。一般に、スピーカユニットを収容するエンクロージャやキャビネットに振動が発生すると、これによって特に低音での出力特性に悪影響が出るが、この影響は緩衝材１５によって低減される。従って、緩衝材１５は、この影響を充分に除去できる形態とするように、例えば図１に示されるように、前面ダクト１４を取り囲む環状とすることが好ましい。
【００１８】
従って、このスピーカ装置１０は、エンクロージャをもたないために薄型化が可能であり、かつ低音での良好な出力特性を得ることができる。
【００１９】
また、図３の構造と比較すると、前面ダクト１４と前面ダクト支持部１２２だけを新たに設け、これらの間に緩衝材１５を入れて固定しただけの単純な構成であるため、その製造は容易であり、その製造コストも安くなる。また、前面ダクト１４及び背面ダクト１３を形成したスピーカユニット１１と、前面ダクト支持部１２２が形成されたキャビネット１２とを別々に製造し、前面ダクト１４と前面ダクト支持部１２２の間に緩衝材１５を充填して組み立てることも容易である。
【００２０】
なお、上記の例では、図３の場合と同様に背面ダクト１３を設けていたが、これを用いない構成とすることもできる。すなわち、この場合においても、前面ダクト１４、前面ダクト支持部１２２、緩衝材１５によって、背面から前面に回り込む音圧は充分に抑制される。この場合には、このスピーカ装置の更なる薄型化が可能である。
【００２１】
また、上記の例では、前面ダクト１４は前面ダクト支持部１２２の内側に緩衝材１５を介して固定される構成としたが、これに限られるものではない。例えば、前面ダクト１４、前面ダクト支持部１２２等が振動を充分に吸収できる材料で構成されている場合には、緩衝材１５を設けずに前面ダクト１４を前面ダクト支持部１２２の外側に嵌合して固定する形態としてもよい。また、前面ダクトの内径を前面ダクト支持部の外径よりも大きくし、前面ダクト支持部の外側に前面ダクトを嵌合する形態とすることもできる。また、前面ダクト及び前面ダクト支持部の形状は必ずしも円筒形状である必要はなく、同様の効果を奏するものであれば任意である。
【００２２】
また、上記の例では、スピーカユニットが１個用いられる構成について記載したが、例えば左右の２チャンネルの音声出力を行う場合においても同様に本願発明を適用することができることは明らかである。
【００２３】
また、上記の例ではこのスピーカ装置が液晶テレビジョン受像機に用いられる例につき記載したが、スピーカ装置の薄型化が要求されるオーディオ機器であれば同様にこのスピーカ装置を好ましく用いることができる。
【図面の簡単な説明】
【００２４】
【図１】本発明の実施の形態となるスピーカ装置のスピーカユニット中心軸上の断面図（ａ）、そのＡ−Ａ方向の断面図（ｂ）、そのＢ−Ｂ方向の断面図（ｃ）である。
【図２】従来のスピーカ装置の一例のスピーカユニット中心軸上の断面図である。
【図３】従来のスピーカ装置の他の一例のスピーカユニット中心軸上の断面図（ａ）、そのＣ−Ｃ方向の断面図（ｂ）である。
【符号の説明】
【００２５】
１０、５０、６０  スピーカ装置
１１、５１、６１  スピーカユニット
１２、５３、６２  キャビネット
１３、６３  背面ダクト
１４  前面ダクト
１５  緩衝材
５２  エンクロージャ
１２１、５３１、６２１  開口
１２２  前面ダクト支持部
【図１】
2010041318.tif 000003
【図２】
2010041318.tif 000004
【図３】
2010041318.tif 000005